(57)【特許請求の範囲】
【請求項１】
遊技媒体を遊技機の前面側からの遊技機設置島の内部側に回収する回収通路を設けるとともに、前記遊技媒体を計数するための計数手段を前記回収通路に設けた遊技機設置島において、
前記回収通路及び前記計数手段の上側がカバー体で覆われるとともに、前記回収通路及び前記計数手段の下側を、前記回収通路及び前記計数手段を前記遊技機より下方の部位に取り付けるための取付部材で覆うように構成した回収通路覆構成と、
前記内部側からのみ操作可能な第１の着脱操作用部材によって前記カバー体を前記取付部材に着脱可能に取り付けるように構成したカバー体着脱構成と、
前記内部側からのみ操作可能な第２の着脱用部材によって前記取付部材を前記部位に着脱可能に取り付けるように構成した取付部材着脱構成と、
前記内側から各前記操作を行うための前記遊技機設置島の開口部に、前記開口部を開閉するための開閉部材を設け、前記開閉部材を施錠するとともに、前記施錠を前記遊技機の前側から開錠し得るように構成した開口部施錠開閉構成と
を具備することを特徴とする遊技機設置島。
【請求項２】
前記遊技機を前記開閉部材として構成したことを特徴とする請求項１記載の遊技機設置島。
【請求項３】
前記回収通路の入口から前記計数手段に至るまでの前記回収通路の間に前記回収通路の反転部を設けたことを特徴とする遊技機設置島。
【発明の詳細な説明】
【０００１】
【発明の属する技術分野】
本発明は、パチンコ機やスロットマシンなどの遊技機に関するものであり、特に詳しくは遊技客が獲得したパチンコ玉やメタルなどの遊技媒体を、遊技機の側で回収できるようにした遊技機設置島に関するものである。
【０００２】
【従来の技術】
この種の遊技機設置島としては、例えばそれぞれのパチンコ機に対応するように玉保管部と連通する開口と、この開口から投入された玉を計数する計数手段と、前記開口を開閉するシャッター部材と、このシャッター部材を開閉駆動するレバー部材とから玉返却装置を構成する際に、少なくとも前記開口をパチンコ島台を構成するカウンター台に形成すると共に、接続開口が形成された玉箱を前記カウンター台に載置した状態で前記レバー部材を操作してシャッター部材を開放したときに、前記接続開口と前記開口とが連通するように構成した技術が、特開平４−１７０９８５号公報に開示されている。
【０００３】
【発明が解決しようとする課題】
しかし、前記特開平４−１７０９８５号公報に提案された装置は、計数手段がパチンコ島から着脱できるようには設けられていないために、計数手段が故障したときなどは、技術者が出向いて修理する必要があり、その間故障した計数手段が設置されたパチンコ機は勿論、その周囲の数台のパチンコ機も修理中は使用できなくなることがあり、計数手段が故障しても簡単に対応できるようにする必要があり、この点の解決が期待されていた。
【０００４】
【課題を解決するための手段】
上記課題を解決するため本発明は、
遊技媒体を遊技機の前面側からの遊技機設置島の内部側に回収する回収通路を設けるとともに、上記の遊技媒体を計数するための計数手段を上記の回収通路に設けた遊技機設置島において、
上記の回収通路及び上記の計数手段の上側がカバー体で覆われるとともに、上記の回収通路及び上記の計数手段の下側を、上記の回収通路及び上記の計数手段を上記の遊技機より下方の部位に取り付けるための取付部材で覆うように構成した回収通路覆構成と、
上記の内部側からのみ操作可能な第１の着脱操作用部材によって上記のカバー体を上記の取付部材に着脱可能に取り付けるように構成したカバー体着脱構成と、
上記の内部側からのみ操作可能な第２の着脱用部材によって上記の取付部材を上記の部位に着脱可能に取り付けるように構成した取付部材着脱構成と、
上記の内側から各上記の操作を行うための上記の遊技機設置島の開口部に、上記の開口部を開閉するための開閉部材を設け、上記の開閉部材を施錠するとともに、上記の施錠を上記の遊技機の前側から開錠し得るように構成した開口部施錠開閉構成と
を設けるようにした第１の構成の遊技機設置島と、
【０００５】
上記の第１の構成の遊技機設置島において、
上記の遊技機を上記の開閉部材として構成した第２の構成の遊技機設置島と、
【０００６】
前記第１または第２の構成の遊技機設置島において、計数手段に至る遊技媒体回収流路に反転部を設けるようにした第３の構成の遊技機設置島と、
を提供するものである。
【０００７】
【発明の実施の形態】
以下、本発明の一実施形態をパチンコ機設置島１００を例に挙げて説明する。図中１は玉貸機、２はパチンコ機、３と４はパチンコ機２に組み付けた上皿と下皿、５は補給玉貯溜部、７は計数表示部、８と９は共用の玉保管部としての上部タンクと下部タンク、１０は揚上装置、１１は研磨装置、１２は返却手段、１３は記録媒体発行兼端玉返却手段、１４は制御部、１５はパチンコ機２のハンドル、１６は鋼製の枠体、５０はパチンコ玉である。
【０００８】
図１に例示したユニット式のパチンコ機設置島１００においては、背面側にも玉貸機１とパチンコ機２をそれぞれ２個づつ配置してあり、パチンコ玉５０は例えば図２のように循環する。
【０００９】
上記の第１の構成または第２構成の遊技機設置島において、
上記の回収通路の入口から上記の計数手段に至るまでの上記の回収通路の間に上記の回収通路の反転部を設けた第２の構成の遊技機設置島と
を提供するものである。
【００１０】
また、開口部１６Ｓそれぞれに隣接して設けた枠体１６の鍵穴１６ａに鍵Ｋを差し込んでこれを回動すると、枠体１６に取り付けた図示しないフックが回動 し、パチンコ機２に設けたフック穴２ａに出没して係脱され、パチンコ機２による開口部１６Ｓの開閉動作が施錠できるように構成する。つまり、パチンコ機２は開口部１６Ｓを開閉するための開閉部材を構成しているものである。
【００１１】
補給玉貯溜部５は、枠体１６に着脱可能に取り付けるための取付部材５Ａと、この取付部材の上に着脱可能に載置して後述する計数手段５ｃを覆い、枠体１６の前面部に配置する箱体６Ａとから形成し、下皿４の玉抜きレバー４ａを操作することによって、下皿４の底部に設けた図示しない穴が開口し、下皿４に溜った補給玉５０ａが落下・流入する位置に設置する。
【００１２】
したがって、箱体６Ａが解決手段で云うカバー体であり、これは例えば樹脂製の箱部材６ａと、この箱部材６ａの底板裏面に図示しない螺子などにより固定する、例えば鉄板製の取着板６ｂとから構成する。
【００１３】
箱部材６ａは、底板を上面が前下がり状態に形成し、その最も低い部分から立設した前面側板の中央下部に、補給玉５０ａが５〜６列で通過し得る大きさの回収口６ａ１を開設すると共に、この回収口６ａ１を開閉するシャッター部材６ｃを備えて形成する。このシャッター部材６ｃは、その一端から前方に延設した係止部６ｃ１を備えて、図示しないスプリングなどにより回収口６ａ１を閉鎖する方向に付勢して、前面側板の前面部に組み付ける。
【００１４】
取付部材５Ａは、枠体１６の凹陥した２箇所の取付部１６ｂに挿入し得る間隔に隔てた平行な２本のＣ型チャンネル５ａと、この２本のＣ型チャンネル５ａの間に設けた補給玉回収通路５ｂと、この補給玉回収通路５ｂの下流部に設置した計数手段５ｃと、前記シャッター部材６ｃを連動させる開閉レバー５ｄと、引抜防止手段５ｅと、これらを下方から覆う樹脂製のケース５ｆとで形成する。
【００１５】
Ｃ型チャンネル５ａは、その先端部に溶接などで固定した取付板５ａ１を取付部１６ｂの奥に配設した板部材１６ｃに当接し、取付板５ａ１に設けた螺子穴５ａ２に螺子５ａ３を板部材１６ｃを介して螺子込むことによって、取付部材５Ａが枠体１６に着脱可能に固定される。なお、板部材１６ｃは、パチンコ機２を回動することによって出現する枠体１６の開口部１６Ｓから覗ける部位に設置する。
【００１６】
補給玉回収通路５ｂは、手前側を箱体６Ａの回収口６ａ１の下方に臨ませて後下がりに、例えば４列に設ける。そして、この補給玉回収通路５ｂの下流側に、それ自体は従来周知の計数手段５ｃを設けて、通路５ｂを転走して下部タンク９に回収されて行く補給玉５０ａの個数が計測できるように構成する。すなわち、補給玉貯溜部５の箱体６Ａに貯溜されたパチンコ玉５０は、回収口６ａ１を手前方向に通過したのち自由落下し、続いて奥に向かって転送し、計数手段５ｃに到達して計数される、回収流路が反転した構成であるため、回収口６ａ１から針金などを差し込んでも計数手段５ｃまで到達し難く不正を働くことができない。
【００１７】
なお、計数手段５ｃの手前の補給玉回収通路５ｂにスリット５ｂ１を設け、零した飲料などが箱体６Ａの回収口６ａ１を通って補給玉回収通路５ｂまで進入しても、計数手段５ｃにまで達しないように構成する。また、補給玉５０ａが重なって補給玉回収通路５ｂを流れないようにする各種の流入規制手段を設ける。
【００１８】
開閉レバー５ｄは、シャッター部材６ｃを摺動させて箱部材６ａの回収口６ａ１を開閉するものであり、表面側には操作摘５ｄ１を、裏面には後方突出部５ｄ２を備えて形成し、開閉レバー５ｄを手動で開動作するときには、後方突出部５ｄ２が係止部６ｃ１の側面に当接してシャッター部材６ｃを回収口６ａ１が開放される方向に摺動させ、操作摘５ｄ１から手を離したときには、図示しないスプリングなどによって付勢されたシャッター部材６ｃの係止部６ｃ１が後方突出部５ｄ２の側面に当接して、開閉レバー５ｄを元の位置に押し戻すようにケース５ｆに摺動可能に組み付ける。
【００１９】
ケース５ｆは、内面の最も低い部分に穴５ｆ１を開設し、零した飲料などが箱体６Ａの回収口６ａ１・スリット５ｂ１を介して流れてきても、内部にたまることがないように形成する。
【００２０】
引抜防止手段５ｅは、支持軸５ｅ１によって回動可能にケース５ｆに軸止したフック５ｅ２と、フック５ｅ２と水平軸部材５ｅ３を介して連結され枠体１６の内部に位置する操作摘５ｅ４とから形成し、図示しないスプリングなどによってフック５ｅ２を操作摘５ｅ４の反対側に付勢し、取着板６ｂの前方突出部６ｂ１をケース５ｆの取着板５ｆ２の下に潜入させて、操作摘５ｅ４を矢印方向に引っ張りながら箱体６Ａの背面側を下方に押し下げて操作摘５ｅ４から手を離すと、取着板６ｂの裏面が取付部材５Ａの上面に接した状態で取着板６ｂの後方突出部６ｂ２にフック５ｅ２の先端部分が係止されるように形成する。したがって、計数手段５ｃのカバー体としても機能している箱体６Ａは、取付部材５Ａから分離できなくなる。一方、操作摘５ｅ４を矢印方向に引っ張ると、フック５ｅ２と取着板６ｂの後方突出部６ｃ２との係合が解除されて、箱体６Ａが取付部材５Ａから分離できるようになる。
【００２１】
計数表示部７は、補給玉貯溜部５から下部タンク９に回収する際に計数手段５ｃが計測した補給玉５０ａの数を表示するものであり、デジタル表示が可能な液晶装置などを用いてパチンコ機２それぞれの上方に設置する。
【００２２】
返却手段１２は、例えば図８に示したように、補給玉５０ａの返却を指示するために補給玉貯溜部５それぞれの前面に設けた４個の返却開始指示ボタン１２ａと、パチンコ機２それぞれの下方の枠体１６前面に凹陥して設けた４箇所の返却部１２ｂと、一端が上部タンク８の底部に開口し、他端が４箇所の返却部１２ｂそれぞれに下向き開口した４本の返却経路１２ｃと、返却経路１２ｃそれぞれの途中に設けた４個の返却個数制御機構１２ｄと、返却部１２ｂそれぞれに載置する可搬自在な樹脂製の４個のコップ１２ｅと、コップ１２ｅが返却部１２ｂに正常に載置されているか否かを検知するリミットスイッチなどからなる４個のセンサ１２ｆと、返却部１２ｂそれぞれの表面部に設けた警告ランプ１２ｇと、これらが図示しない信号線を介して接続している共用の制御部１４とから構成する。
【００２３】
また、記録媒体発行兼端玉返却手段１３は、横並びした二つのパチンコ機２の間の玉貸機１の上方に設けたカード発行口１３ａと、このカード発行口１３ａの左右両側に離間してそれぞれ３個づつ設けた操作ボタン１３ｂ・１３ｃ・１３ｄと、カード発行口１３ａから例えば印字したカード１３ｅを発行する図示しないカード保管／記録／搬送機能部と、カード発行口１３ａに隣接して左右両側に設けた矢印状のランプ１３ｆと、これらが図示しない信号線を介して接続している共用の制御部１４とから構成し、両面に一つづつ配置する。
【００２４】
そして、共用の制御部１４には、返却開始指示ボタン１２ａが操作される度に、操作された返却開始指示ボタン１２ａに対応する（以下、同じ）センサ１２ｆから所定の制御信号が入力されているか否かを先ず判定し、所定の制御信号の入力がなく、返却部１２ｂにコップ１２ｅが正常に載置されていないときには、警告ランプ１２ｇを点滅してコップ１２ｅを正常に載置することを促し、所定の制御信号が入力されて返却部１２ｂにコップ１２ｅが正常に載置されていることを確認したときには、計数手段５ｃによって計数され制御部１４の図示しない記憶部に記憶している補給玉の個数を限度に、返却個数制御機構１２ｄを起動して予め設定した個数、例えば１００個の補給玉を上部タンク８から返却部１２ｂのコップ１２ｅに返却すると共に、補給玉を返却する度に計数表示部７の表示を、返却する前に表示していた数値から返却した個数を減算して得られる数値に表示し直すための所要の制御プログラムを記憶させる。
【００２５】
また、制御部１４には、操作ボタン１３ｂが操作されると、計数表示部７に表示されている玉数を印字したカード１３ｅをカード発行口１３ａから発行すると共に、操作された操作ボタン１３ｂのある側のランプ１３ｆを点灯させ、操作ボタン１３ｃが操作されると、計数表示部７に表示されている玉数の内で特殊景品に交換できる玉数または交換可能な特殊景品の数をカード１３ｅに印字してカード発行口１３ａから発行すると共に、操作された操作ボタン１３ｃのある側のランプ１３ｆを点灯させ、且つ、特殊景品に交換できない端玉を、返却手段１２の返却個数制御機構１２ｄを起動して返却部１２ｂのコップ１２ｅに上部タンク８から返却し、操作ボタン１３ｄが操作されると、計数表示部７に表示されている個数を印字したカード１３ｅをカード発行口１３ａから発行すると共に、操作された操作ボタン１３ｄのある側のランプ１３ｆを点灯させ、且つ、このカード１３ｅがカード発行口１３ａに挿入されるまで、ハンドル１５を操作しても遊技ができないようにするための所要の制御プログラムを記憶させる。
【００２６】
なお、計数手段５ｃによる回収補給玉の計数は、記録媒体発行兼端玉返却手段１３の図示しないカード保管／記録／搬送機能部を起動して、カード発行口１３ａから印字したカード１３ｅを発行するまで、開閉レバー５ｄが操作されて回収されている補給玉を累積して計測し、その合計を計数表示部７に表示する。
【００２７】
また、補給玉貯溜部５の電気配線と枠体１６の電気配線は、図示しないコネクターによって一括して接離できるようにする。
【００２８】
したがって、上記構成のパチンコ機設置島１００においては、遊技中に下皿４に収納できない程補給玉５０ａが溜ると、玉抜きレバー４ａを操作することで下皿４に溜った補給玉５０ａを貯溜部５に流し込むことができる。
【００２９】
補給玉５０ａがさらに増え、補給玉貯溜部５からも溢れそうになると補給玉貯溜部５の前面に設けた開閉レバー５ｄを操作することによって回収口６ａ１が開口し、この回収口６ａ１から出て下部タンク９に回収される補給玉５０ａが計数手段５ｃにより計数され、その個数が計数表示部７に表示される。
【００３０】
そして、さらに遊技を行っていて補給玉が逆に不足してくると、補給玉貯溜部５に溜っている補給玉５０ａを上皿３に入れて遊技を継続することができる。
【００３１】
そして、補給玉貯溜部５に溜っていた補給玉５０ａがなくなると、返却部１２ｂにコップ１２ｅを正常な状態に載置して返却開始指示ボタン１２ａを操作することにより、予め設定した個数、例えば１００個の補給玉が上部タンク８から返却部１２ｂのコップ１２ｅに返却されるので、コップ１２ｅに返却された補給玉を上皿３に移すことで遊技を継続することができる。このとき、計数表示部７の表示は、返却を受けた玉数だけ少ない数に変更される。
【００３２】
また、補給玉５０ａが沢山ある状態で遊技を終了するときには、上皿３・下皿４・補給玉貯溜部５にある全ての補給玉を、玉抜きレバー３ａ・４ａ・開閉レバー５ｄを操作して補給玉貯溜部５の回収口６ａ１からパチンコ機設置島１００に回収した後、例えば操作ボタン１３ｂを操作すると、回収時に計数手段５ｃによって計数され計数表示部７に表示されている玉数が印字されたカード１３ｅがカード発行口１３ａから発行されるので、遊技した人はこのカード１３ｅをカウンターに持って行って所望の景品と交換することができる。
【００３３】
また、計数終了後に操作ボタン１３ｃを操作すると、特殊景品に交換できない端玉が返却部１２ｂのコップ１２ｅに返却されると共に、特殊景品に交換できる補給玉の個数が交換可能な特殊景品の数を印字したカード１３ｅがカード発行口１３ａから発行されるので、１回交換式のパチンコ機２においては、この操作ボタン１３ｃを操作して終了すれば、別のパチンコ機２で遊技する際に玉貸機１から改めて玉を借りる必要がない。
【００３４】
また、操作ボタン１３ｄを操作してカード発行口１３ａから発行されたカード１３ｅを持っていれば、このカード１３ｅをカード発行口１３ａに挿入するまではそのパチンコ機２で遊技することができないので、パチンコ機２の調子が良く食事などのときにも他人に渡したくない場合には、操作ボタン１３ｄを操作してカード発行口１３ａからカード１３ｅを受け取っておけば安心して食事などを採ることができる。
【００３５】
この場合、補給玉５０ａを上皿３・下皿４・補給玉貯溜部５に残した状態でカード１３ｅを受け取っても良いし、全ての補給玉を計数してパチンコ機設置島１００に一旦戻し、戻した補給玉の玉数を印字したカード１３ｅを受け取るようにすることもできる。
【００３６】
そして、計数手段５ｃが例えば故障したときには、対応する鍵穴１６ａに鍵Ｋを差し込んで開錠し、枠体１６の内部が覗けるようにパチンコ機２を回動して開口部１６Ｓを出現させ、この開口部１６Ｓから手を入れて引抜防止手段５ｅの操作摘５ｅ４を矢印の方向に引っ張って箱体６Ａを取付部材５Ａから外せば計数手段５ｃが露出するので、単純な故障であれば修理がすぐにその場で行えるし、螺子５ａ３を外すと取付部材５Ａを枠体１６から抜き取ることができるので、故障した部分を修理に出し、正常な計数手段５ｃを備えた補給玉貯溜部５を代わりに組み付けることで機能回復が簡単に行える。
【００３７】
また、反転部を有して形成した回収流路の、反転部の下流側に計数手段５ｃを設けたため、回収口６ａ１から針金などを差し込んでも計数手段５ｃまで到達し難く不正を働くことができない。
【００３８】
なお、本発明は上記した実施の形態に限定されるものではないので、特許請求の範囲に記載の趣旨から逸脱しない範囲で各種の変形実施が可能である。
【００３９】
例えば、パチンコ機設置島１００は、ホールに組み上げた木枠にパチンコ機２を大工が現場施工で組み付けて形成するものであっても良い。
【００４０】
また、開閉レバー５ｄとシャッタ部材５ｃとを、回収口６ａ１の開放が持続できるように構成することなども可能である。
【００４１】
さらに、パチンコ玉以外の遊技媒体、例えばメタル、コインなどを用いて遊技するスロットマシンなどを設置した遊技島であっても良い。
【００４２】
【発明の効果】
以上説明したように本発明の遊技機設置島によれば、計数手段が故障しても簡単に修理などして機能を回復させることができる。また、請求項２の遊技機設置島では開口部の開閉部材を遊技機で兼用させたので、構造が簡単であり、さらに、請求項３の遊技機設置島においては、不正を働き難い。
【図面の簡単な説明】
【図１】一実施形態の説明図である。
【図２】パチンコ玉のフローを示す説明図である。
【図３】一実施形態の要部を側面から見た説明図である。
【図４】一実施形態に用いた補給玉貯溜部を上方から見た説明図である。
【図５】一実施形態に用いた補給玉貯溜部を正面から見た説明図である。
【図６】一実施形態に用いた補給玉貯溜部を正面から見た説明図である。
【図７】一実施形態に用いた補給玉貯溜部の要部の説明図である。
【図８】一実施形態に用いた返却手段の構成を示す説明図である。
【符号の説明】
１  玉貸機
２  パチンコ機
２ａ  フック穴
３  上皿
３ａ  玉抜きレバー
４  下皿
４ａ  玉抜きレバー
５  補給玉貯溜部
５Ａ  取付部材
５ａ  Ｃ型チャンネル
５ａ１  取付板
５ａ２  螺子穴
５ａ３  螺子
５ｂ  補給玉回収通路
５ｂ１  スリット
５ｃ  計数手段
５ｄ  開閉レバー
５ｄ１  操作摘
５ｄ２  後方突出部
５ｅ  引抜防止手段
５ｅ１  支持軸
５ｅ２  フック
５ｅ３  水平軸部材
５ｅ４  操作摘
５ｆ  ケース
５ｆ１  穴
５ｆ２  取着板
６Ａ  箱体
６ａ  箱部材
６ａ１  回収口
６ｂ  取着板
６ｂ１  前方突出部
６ｂ２  後方突出部
６ｃ  シャッター部材
６ｃ１  係止部
７  計数表示部
８  上部タンク
９  下部タンク
１０  揚上装置
１１  研磨装置
１２  返却手段
１２ａ  返却開始指示ボタン
１２ｂ  返却部
１２ｃ  返却経路
１２ｄ  返却個数制御機構
１２ｅ  コップ
１２ｆ  センサ
１２ｇ  警告ランプ
１３  記録媒体発行兼端玉返却手段
１３ａ  カード発行口
１３ｂ・１３ｃ・１３ｄ  操作ボタン
１３ｅ  カード
１３ｆ  ランプ
１４  制御部
１５  ハンドル
１６  枠体
１６Ｓ  開口部
１６ａ  鍵穴
１６ｂ  取付部
１６ｃ  板部材
５０  パチンコ玉
５０ａ  補給玉
１００  遊技機設置島
Ｋ  鍵
【図１】
0004138037.tif 000002
【図２】
0004138037.tif 000003
【図３】
0004138037.tif 000004
【図４】
0004138037.tif 000005
【図５】
0004138037.tif 000006
【図６】
0004138037.tif 000007
【図７】
0004138037.tif 000008
【図８】
0004138037.tif 000009